(57)【特許請求の範囲】
【請求項１】
室の天井裏に設置された本体部と、該本体部に取り付けられて天井にあけられた該本体部を出し入れする設置口を塞口する化粧パネルと、を備えた空気調和機の室内ユニットの取替え方法であって、
作業空間隔離シートを用いて、上記化粧パネルの設置箇所の真下の室の空間を、高さ方向の全域にわたって囲繞し、上記室の他の空間から隔離する取替え作業空間隔離工程と、
上記化粧パネルを取り外し、上記本体部を上記設置口から取り出して既設の室内ユニットを取り外す既設ユニット取り外し工程と、
新規の本体部を上記設置口から上記天井裏に設置し、新規の化粧パネルを該新規の本体部に取り付けて該設置口を塞口して新規の室内ユニットを設置する新規ユニット設置工程と、を備え、
上記取替え作業空間隔離工程では、床保護シートを上記化粧パネルの設置箇所の真下の床上のエリアに布設し、
上記既設ユニット取り外し工程では、上記作業空間隔離シートの内部の空気を吸引し、第１のＨＥＰＡフィルタを介して吸引した空気を上記作業空間隔離シートの外部に排出する負圧除塵装置を稼動させつつ、吸引した空気を第２のＨＥＰＡフィルタを介して排出する真空掃除機を、排出される空気が上記負圧除塵装置に吸引されるように上記作業空間隔離シートの内部に配置し、該真空掃除機により上記化粧パネル及び上記本体部に付着している塵埃を除去し、
上記既設ユニット取り外し工程と上記新規ユニット設置工程との間に、
上記新規の本体部を設置する上記天井裏の設置スペース内の塵埃を、上記負圧除塵装置を稼動させつつ上記真空掃除機により除去する設置スペース清掃工程と、
上記設置スペースを設置スペース隔離シートで上記天井裏の他の空間から隔離する設置スペース隔離工程と、
上記作業空間隔離シートの内面及び上記床保護シーとの上面全域に塵埃飛散防止剤を散布する塵埃飛散防止工程と、
を備えることを特徴とする空気調和機の室内ユニットの取替え方法。
【発明の詳細な説明】
【技術分野】
【０００１】
この発明は、天井に設置された空気調和機の室内ユニットの取替え方法に関する。
【背景技術】
【０００２】
従来の空気調和機は、天井裏に設置される空気調和機本体と、天井面に露出して配設され、吸込口と吹出口を有する化粧パネルと、を備えている（例えば、特許文献１参照）。
【０００３】
【特許文献１】特開平１０−１９３６５号公報
【発明の開示】
【発明が解決しようとする課題】
【０００４】
従来の空気調和機の取替え作業において、天井裏などにたまった塵埃が、化粧パネルを取り外し、空気調和機本体を天井裏から室内に引き出すときに室内の広範囲に飛散する。このため、日常の作業を行うための室内の日常作業エリアが、従来の空気調和機本体の設置場所から離れている場合でも、従来の空気調和機の取替え作業中は、日常作業エリアが塵埃で汚染されないように日常作業エリアをシート等で覆う必要があった。つまり、従来の空気調和機の取替え作業中は、日常の作業が室内で行えなくなるという問題があった。
【０００５】
この発明は、上記の課題を解決するためになされたものであり、空気調和機の室内ユニットの取替え作業中でも塵埃の飛散を抑え、室内ユニットが設置された室内での日常の作業を可能にする空気調和機の室内ユニットの取替え方法を得ることを目的とする。
【課題を解決するための手段】
【０００６】
この発明は室の天井裏に設置された本体部と、本体部に取り付けられて天井にあけられた本体部を出し入れする設置口を塞口する化粧パネルと、を備えた空気調和機の室内ユニットの取替え方法であって、作業空間隔離シートを用いて、化粧パネルの設置箇所の真下の室の空間を、高さ方向の全域にわたって囲繞し、室の他の空間から隔離する取替え作業空間隔離工程と、化粧パネルを取り外し、本体部を設置口から取り出して既設の室内ユニットを取り外す既設ユニット取り外し工程と、新規の本体部を設置口から天井裏に設置し、新規の化粧パネルを新規の本体部に取り付けて設置口を塞口して新規の室内ユニットを設置する新規ユニット設置工程と、を備えている。そして、上記取替え作業空間隔離工程では、床保護シートを上記化粧パネルの設置箇所の真下の床上のエリアに布設し、上記既設ユニット取り外し工程では、上記作業空間隔離シートの内部の空気を吸引し、第１のＨＥＰＡフィルタを介して吸引した空気を上記作業空間隔離シートの外部に排出する負圧除塵装置を稼動させつつ、吸引した空気を第２のＨＥＰＡフィルタを介して排出する真空掃除機を、排出される空気が上記負圧除塵装置に吸引されるように上記作業空間隔離シートの内部に配置し、該真空掃除機により上記化粧パネル及び上記本体部に付着している塵埃を除去し、上記既設ユニット取り外し工程と上記新規ユニット設置工程との間に、上記新規の本体部を設置する上記天井裏の設置スペース内の塵埃を、上記負圧除塵装置を稼動させつつ上記真空掃除機により除去する設置スペース清掃工程と、上記設置スペースを設置スペース隔離シートで上記天井裏の他の空間から隔離する設置スペース隔離工程と、上記作業空間隔離シートの内面及び上記床保護シーとの上面全域に塵埃飛散防止剤を散布する塵埃飛散防止工程と、を備える。
【発明の効果】
【０００７】
この発明によれば、室内ユニットの取替え作業中に、塵埃が作業空間隔離シート外部に飛散することが抑えられる。従って、室内ユニットの取替え作業中であっても日常作業エリアを室内に確保できるので、日常の作業を室内で行うことが可能となる。
【発明を実施するための最良の形態】
【０００８】
以下、この発明を実施するための最良の形態について、図面を参照して説明する。
図１はこの発明の一実施の形態に係る空気調和機の室内ユニットの取替え方法により取替えられる既設の室内ユニットが設置された建物の模式図、図２は図１のＡ部拡大図、図３はこの発明の一実施の形態に係る空気調和機の室内ユニットの取替え方法の取替え作業空間隔離工程を説明する図、図４はこの発明の一実施の形態に係る空気調和機の室内ユニットの取替え方法の表面清掃工程を説明する図、図５はこの発明の一実施の形態に係る空気調和機の室内ユニットの取替え方法のユニット取り外し工程を説明する図、図６はこの発明の一実施の形態に係る空気調和機の室内ユニットの取替え方法の設置スペース清掃工程を説明する図、図７はこの発明の一実施の形態に係る空気調和機の室内ユニットの取替え方法の設置スペース隔離工程を説明する図、図８はこの発明の一実施の形態に係る空気調和機の室内ユニットの取替え方法の塵埃飛散防止工程を説明する図、図９はこの発明の一実施の形態に係る空気調和機の室内ユニットの取替え方法の取替え作業空間撤去工程を説明する図、図１０はこの発明の一実施の形態に係る空気調和機の室内ユニットの取替え方法の新規ユニット設置工程を説明する図である。
【０００９】
図１及び図２において、建物１は地下１階（Ｂ１）、及び１階（１Ｆ）〜３階（３Ｆ）のそれぞれに室３を有している。そして、各階の室３の床６ａ又は屋上の床６ｂが、コンクリートなどの厚板からなるスラブにより構成されている。そして、天井裏空間９（天井裏９）が、各階の室３の天井７のそれぞれの上面（裏面）と床６ａ（６ｂ）のそれぞれの下面（裏面）との間に形成されている。また、室３内と天井裏空間９とを連通する設置口７ａが天井７の所定の部位に形成されている。また、以下に説明する既設の室内ユニット１６Ａを支持するための吊りボルト１０が、床６ａ（６ｂ）の裏面に垂設されている。
【００１０】
そして、空気調和機１５は、各階の室３ごとに複数配設された既設の室内ユニット１６Ａ（以下、室内ユニット１６Ａとする）と、建物１の屋上に配設された室外ユニット２２と、室内ユニット１６Ａと室外ユニット２２との間を連結する冷媒配管２５とを主たる構成として有している。
【００１１】
室内ユニット１６Ａのそれぞれは、図２に示されるように、設置口７ａに対応する天井裏空間９の領域に設置された本体部１７と、設置口７ａを塞口して天井７の表面（天井面８）に露出するように本体部１７に取り付けられ、室内吸込口（図示せず）と室内吹出口（図示せず）を有する化粧パネル１９と、を備えている。このとき、本体部１７は設置口７ａから天井裏空間９に出し入れすることが可能になっている。
また、本体部１７は、室内吸込口から室内吹出口に通ずる通風路を有する筐体１８を有している。さらに、詳細には図示しないが、本体部１７は、冷媒と室３内の空気との熱交換を行なわせるために通風路に配置された室内熱交換器や、室３内の空気を室内吸込口から室内熱交換器の配設部位を通過させて室内吹出口に導くための室内ファンなどを有している。
【００１２】
また、取付金具２０が筐体１８の相対する側壁１８ａに突設されている。そして、吊りボルト１０が取付金具２０に挿通され、さらに、ナット２１が吊りボルト１０の先端に螺着されている。これにより、本体部１７が吊りボルト１０に支持され、このとき、筐体１８の下面が設置口７ａに対応する位置に配置されている。なお、所定の隙間が筐体１８と設置口７ａの縁部との間に形成されており、この隙間を介してナット２１の吊りボルト１０への螺着を解除することができるようになっている。
そして、化粧パネル１９は、その縁部で設置口７ａの縁部を囲繞して設置口７ａを塞口するように、室３内側から筐体１８にネジ（図示せず）などを用いて取り付けられている。
【００１３】
また、室外ユニット２２は、室外吸込口と室外吹出口を有する筐体２３を有し、詳細には図示しないが、室外吸込口から室外吹出口へ通ずる通風路が筐体２３内に形成されている。さらにまた、詳細には図示しないが、室外ユニット２２は冷媒と室外ユニット外部との熱交換を行なわせるために通風路に配置された室外熱交換器、冷媒を圧縮するための圧縮機、および室外ユニット２２外部の空気を室外吸込口から室外熱交換器の配設部位を通過させて室外吹出口に導く室外ファンなどを筐体２３内に有している。
【００１４】
そして、冷媒配管２５が、室内ユニット１６Ａの本体部１７と室外ユニット２２とを接続するように配設され、冷媒が冷媒配管２５内を循環することが可能になっている。このとき、冷媒配管２５の室内ユニット１６Ａ側の部位は、天井裏空間９内に配置され、冷媒配管２５と本体部１７との接続が、冷媒配管２５を室３に露出させることなく行われている。さらに、本体部１７で発生するドレン水を建物１の外部に導くドレン配管（図示せず）や、本体部１７に電源を供給するための電気配線（図示せず）なども本体部１７に接続されている。このとき、ドレン配管や電気配線も天井裏空間９を利用して本体部１７まで引き込まれている。
【００１５】
次いで、室内ユニットの取替え方法について説明する。
図３〜１０において、室内ユニットの取替え方法は、室内ユニット１６Ａの化粧パネル１９の配設箇所の真下周辺の室３内の空間を、作業空間隔離シート２７を用いて室３内の他の空間から隔離する取替え作業空間隔離工程と、室内ユニット１６Ａの天井面８への露出部周辺を清掃する表面清掃工程と、室内ユニット１６Ａを取り外す既設ユニット取り外し工程と、新規の室内ユニット１６Ｂを設置するための設置スペース周辺の天井裏空間９の部位を清掃する設置スペース清掃工程と、を備える。さらに、室内ユニットの取替え方法は、天井裏空間９の設置スペース９ａを天井裏空間９の他の領域から隔離する設置スペース隔離工程と、作業空間隔離シート２７に付着した塵埃が再飛散するのを防ぐ塵埃飛散防止工程と、作業空間隔離シート２７による取替え作業空間の隔離を解除する取替え作業空間撤去工程と、新規の室内ユニット１６Ｂを設置する新規ユニット設置工程と、を備えている。
【００１６】
次いで、取替え作業空間隔離工程について詳細に説明する。
図３において、取替え作業空間隔離工程は、床保護シート２６を用いて化粧パネル１９の設置箇所の真下の床６ａの表面を保護するとともに、作業空間隔離シート２７を用いて化粧パネル１９の設置箇所の真下周辺の室３の空間を室３の他の空間から隔離して取替え作業空間２４を設けるものである。なお、図３では、説明の便宜上、床保護シート２６、及び作業空間隔離シート２７の厚みは誇張して描いている。
【００１７】
まず、作業者（図示せず）は、床保護シート２６を、化粧パネル１９の設置箇所の真下の部位を中心とする床６ａ上の所定エリアに布設する。床保護シート２６は、例えば、厚さ０．０８ｍｍの極薄いプラスチックシートであり、作業者は床保護シート２６を二枚重ねにして用いている。床保護シート２６の床６ａへの布設領域は、化粧パネル１９を鉛直下方の床６ａに投影したときに、少なくとも化粧パネル１９を内包する大きさとなっている。
【００１８】
次いで、作業者は、作業空間隔離シート２７を複数枚用意する。作業空間隔離シート２７には、床保護シート２６に用いたプラスチックシートと同様のものが用いられる。そして、作業者は脚立３０に上って、複数の作業空間隔離シート２７の一方の縁部側で、化粧パネル１９を囲繞するように作業空間隔離シート２７のそれぞれを天井７に仮固定する。作業空間隔離シート２７の天井７への仮固定は、作業空間隔離シート２７のそれぞれの一方の縁部近傍の部位を天井面８に合わせ、さらに、止めピン２８を天井面８に合わせられた作業空間隔離シート２７を貫通させて天井７に差し込むことにより行われている。
【００１９】
そして、作業者は、作業空間隔離シート２７のそれぞれの一方の縁部全域と天井面８との間をテープ（図示せず）により目張りする。このとき、作業空間隔離シート２７の他方の縁部は床６ａ上に垂下される。なお、作業空間隔離シート２７のそれぞれの一方の縁部は室内ユニット１６Ａの配設箇所と反対側に折り曲げられており、作業者は、取替え作業空間２４の外側からテープを貼り付けている。
【００２０】
次いで、作業者は作業空間隔離シート２７の隣接する高さ方向に沿った縁部の間をテープで貼り付ける。これにより、化粧パネル１９の設置箇所の真下の空間を高さ方向の全域にわたって囲繞する取替え作業空間２４が、作業空間隔離シート２７のそれぞれにより形成される。
【００２１】
さらに、作業者（図示せず）は、取替え作業空間２４内に移動する。このとき、脚立３０、及び真空掃除機３１も取替え作業空間２４内に配置し、取替え作業空間２４近傍に負圧除塵装置３５を配置する。
【００２２】
次いで、作業者は、除塵装置挿入穴（図示せず）を作業空間隔離シート２７の一つに形成し、負圧除塵装置３５の除塵装置吸込口３５ａ側を、除塵装置挿入穴に挿入する。さらに、負圧除塵装置３５の取替え作業空間２４への挿入部と除塵装置挿入穴の縁部との間をテープで目張りする。
【００２３】
次いで、作業者は、作業空間隔離シート２７の他方（下端側）の縁部を内側に折り曲げて、折り曲げた作業空間隔離シート２７の部位を床保護シート２６に合わせる。さらに、作業者は、止めピン２８を床保護シート２６及び作業空間隔離シート２７を貫通させて床６ａに差し込むことにより、床保護シート２６とともに作業空間隔離シート２７の他方の縁部側を床６ａに仮固定する。そして、作業者は、作業空間隔離シート２７のそれぞれの他方の縁部全域と床保護シート２６との間をテープ（図示せず）により目張りする。これにより、作業空間隔離シート２７に囲まれた取替え作業空間２４が、室３内の他の空間から隔離される。
【００２４】
ここで、負圧除塵装置３５は、除塵装置吸込口３５ａから吸込んだ大容量の空気を除塵装置排気口３５ｂから外部に排出するものであり、第１のＨＥＰＡフィルタが除塵装置吸込口３５ａと除塵装置排気口３５ｂとの間の通風経路に配設されている。なお、ＨＥＰＡフィルタは、空気中に含まれる微粒子を高性能で捕集するフィルタである。ＨＥＰＡフィルタは、ＪＩＳ  Ｚ  ８１２２に規定されるように、定格風量の気流を通過させたときに、粒径０．３μｍの微粒子に対して９９．９７%以上の捕集率を有するものである。
【００２５】
ここで、真空掃除機３１は、吸引した空気を放出するための掃除機排気口３２ａを有する駆動本体部３２、及び駆動本体部３２に一端が接続されたホース３３を有し、ホース３３の他端の掃除機吸込口３３ａから空気を塵埃とともに駆動本体部３２内に吸引する構成となっている。また、吸引した空気中の塵埃を捕集するための第２のＨＥＰＡフィルタ（図示せず）が、駆動本体部３２内の通風経路に配設されている。
なお、上記負圧除塵装置３５の第１のＨＥＰＡフィルタには、真空掃除機３１の第２のＨＥＰＡフィルタより高性能に微粒子を捕集可能なものが用いられている。
【００２６】
次いで、建物１の梁や柱等に使用されているアスベストについて説明する。
従来、アスベストは耐火被覆用や断熱用として、建物１の梁や柱等に吹き付けられて使用されてきた。周知の通り、作業者がアスベストを吸い込んだ場合には、健康に被害が及ぶ。
空気調和機１５の室内ユニット１６Ａは、柱や梁を避けた天井７の部位に設置されることが多い。しかし、万一にアスベストが室内ユニット１６Ａの近傍に紛れ込んでいることを考え、作業者は以下の表面清掃工程からは、保護服及び保護マスクを着用して作業する。保護服の着用は表面清掃工程からでよいが、作業性を考慮すれば、作業者は、取替え作業空間隔離工程開始時に予め保護服を着用しておくとよい。
【００２７】
次いで、表面清掃工程について詳細に説明する。
図４において、作業者３６はまず、真空掃除機３１の掃除機排気口３２ａが負圧除塵装置３５の除塵装置吸込口３５ａに略隙間なく相対するように真空掃除機３１を配置し、負圧除塵装置３５を稼動させる。このとき、取替え作業空間２４の内部の空気は、除塵装置吸込口３５ａから吸い込まれ、第１のＨＥＰＡフィルタを介して取替え作業空間２４の外部に排出される。従って、取替え作業空間２４内の気圧は、取替え作業空間２４の外の気圧より低くなる。これにより、作業空間隔離シート２７と天井面８との間、または作業空間隔離シート２７と床６ａ上に布設された床保護シート２６との間に微小な隙間が仮にあったとしても、当該隙間から取替え作業空間２４内部の空気が外部に放出されることはない。また、負圧除塵装置３５に吸込まれた塵埃は第１のＨＥＰＡフィルタにより捕集される。つまり、取替え作業空間２４を漂う塵埃が、取替え作業空間２４の外部に放出されることはない。
【００２８】
そして、作業者３６は、真空掃除機３１を稼動させて脚立３０に上がり、化粧パネル１９を含む周辺の空気を吸引する。このとき、真空掃除機３１の吸引力が、化粧パネル１９の室内吸込口及び室内吹出口を介して本体部１７の下部の配置部位まで及ぶので、化粧パネル１９の下面の塵埃のみならず、本体部１７の下部に付着した塵埃も駆動本体部３２に空気とともに吸い込まれる。また、掃除機排気口３２ａが除塵装置吸込口３５ａに略隙間なく相対しているので、掃除機排気口３２ａから排出される空気は、負圧除塵装置３５に吸引される。
【００２９】
このとき、駆動本体部３２に吸込まれた空気に混じっていた塵埃は、真空掃除機３１の第２のＨＥＰＡフィルタにて捕集される。上述したように、取替え作業空間２４内を浮遊する塵埃も負圧除塵装置３５の第１のＨＥＰＡフィルタにて捕集される。また、負圧除塵装置３５の第１のＨＥＰＡフィルタには、真空掃除機３１の第２のＨＥＰＡフィルタより高性能に塵埃を捕集可能なものが用いられているので、粒径の小さな塵埃が、真空掃除機３１の第２のＨＥＰＡフィルタを通過した場合でも、負圧除塵装置３５の第１のＨＥＰＡフィルタで捕集される。
【００３０】
次いで、既設ユニット取り外し工程について詳細に説明する。
作業者３６は、負圧除塵装置３５を稼動させたまま、脚立３０に上がり、化粧パネル１９を本体部１７から取り外して床６ａ上に載置する。さらに、作業者３６は、設置口７ａと筐体１８との間の隙間に、真空掃除機３１のホース３３を入れて筐体１８まわりの塵埃を吸い取る。さらに、作業者３６は、冷媒配管２５、ドレン配管、及び電気配線と本体部１７との接続を解除する。そして、作業者３６は吊りボルト１０に螺着されていたナット２１を取り外し、図５に示されるように、本体部１７を設置口７ａから室３内に取り出して床６ａ上に載置する。なお、図５では脚立３０の図示は省略している。
【００３１】
そして、作業者３６は、化粧パネル１９及び筐体１８に付着した塵埃を真空掃除機３１により除去する。また、作業者３６は、保護服に付着した塵埃も真空掃除機３１により除去する。そして、作業者３６は、作業空間隔離シート２７による取替え作業空間２４の内外の隔離を一部解除し、化粧パネル１９及び本体部１７を取替え作業空間２４の外に撤去する。
このとき、取替え作業空間２４の内外の隔離の一部のみを解除しているだけであり、取替え作業空間２４の内部の気圧が外部より小さい状態は負圧除塵装置３５の稼動により維持される。従って、取替え作業空間２４内を漂う塵埃が、取替え作業空間２４の内部から外部に飛散されることはない。そして、作業者３６は、隔離を解除した作業空間隔離シート２７の部位にテープ等を貼り、取替え作業空間２４の内外を再度隔離する。
【００３２】
次いで、設置スペース清掃工程について詳細に説明する。
図６において、作業者３６は、負圧除塵装置３５を稼動させたまま脚立３０に上がり、真空掃除機３１のホース３３を設置口７ａから天井裏空間９内に挿入する。そして、作業者３６は、新規の室内ユニットの本体部が配設される天井裏空間９の部位を形成する床６ａの裏面や天井７の裏面に付着した塵埃を除去する。次いで、作業者３６は保護服に付着した塵埃、また、脚立３０や真空掃除機３１自身に付着した塵埃を真空掃除機３１により取り除き、真空掃除機３１の稼動を停止する。
【００３３】
次いで、設置スペース隔離工程について詳細に説明する。
作業者３６は、設置スペース隔離シート３７を複数枚用意する。なお、作業者３６は、予め、設置スペース隔離シート３７を取替え作業空間２４の近傍に用意しておき、作業空間隔離シート２７による取替え作業空間２４の内外の隔離を一部解除して、設置スペース隔離シート３７を取替え作業空間２４内に取り込んでいる。そして、作業者３６は、隔離を解除した作業空間隔離シート２７の部位にテープ等を貼り、取替え作業空間２４の内外を再度隔離する。
【００３４】
そして、作業者３６は、負圧除塵装置３５の稼動を停止し、設置スペース隔離シート３７の一方の縁部側を、設置口７ａと相対する床６ａの裏面の部位を囲繞するように床６ａの裏面にテープなどにより貼り付ける。このとき、作業者３６は、一方の縁部側を設置口７ａ側に折り曲げて、設置スペース隔離シート３７のそれぞれの一方の縁部全域と床６ａとの間をテープにより目張りしている。
【００３５】
また、作業者３６は、冷媒配管２５、ドレン配管、及び電気配線を引き込むための引き込み穴（図示せず）を設置スペース隔離シート３７の部位に形成し、冷媒配管２５、ドレン配管、及び電気配線を引き込み穴に挿通させる。そして、冷媒配管２５、ドレン配管、及び電気配線の設置スペース隔離シート３７への挿通部位と設置スペース隔離シート３７の引き込み穴の縁部との間をテープで目張りする。このとき、設置スペース隔離シート３７のそれぞれの他方の縁部側は設置口７ａを囲繞するように天井７の裏面に垂下される。
【００３６】
さらに、作業者３６は設置スペース隔離シート３７の他方の縁部側を設置口７ａ側に折り曲げて、設置スペース隔離シート３７のそれぞれの他方の縁部全域と天井７の裏面との間をテープにより目張りしている。
これにより、図７に示されるように、新規の室内ユニットを設置する予定の天井裏空間９の設置スペース９ａが天井裏空間９の他の領域から隔離される。即ち、清掃を施していない天井裏空間９を形成する床６ａの裏面や天井７の裏面に付着した塵埃は、設置口７ａから室３内に飛散することがなくなる。
【００３７】
そして、作業者３６は、作業空間隔離シート２７による取替え作業空間２４の内外の隔離を一部解除し、脚立３０や真空掃除機３１を取替え作業空間２４の外側に撤去した後、再度取替え作業空間２４の内外を隔離する。さらに、負圧除塵装置３５と除塵装置挿入穴の縁部との間の目張りを行っていたテープを剥がし、除塵装置吸込口３５ａ側を取替え作業空間２４から遠ざける。そして、除塵装置挿入穴は、設置スペース隔離シート３７の残りなどで塞ぐ。
【００３８】
次いで、塵埃飛散防止工程について図８を参照しつつ詳細に説明する。
塵埃飛散防止工程は、飛散防止剤散布装置４０を用いて塵埃飛散防止剤を床保護シート２６の上面及び作業空間隔離シート２７の内面に散布するものである。飛散防止剤散布装置４０は、液体の塵埃飛散防止剤を収納するタンク４１、タンク４１に一端が接続されたチューブ４２、及びタンク４１内を加圧してチューブ４２の他端から塵埃飛散防止剤を散布させる電動ポンプ４３を有している。また電動ポンプ４３の稼動は、チューブ４２の先端に取り付けられたスイッチ（図示せず）により任意に作業者３６が行うことができるようになっている。
【００３９】
また、飛散防止剤散布装置４０は、予め、取替え作業空間２４の近傍に用意しておき、作業者３６が、取替え作業空間２４の内外の隔離を一部解除してチューブ４２を取替え作業空間２４内に引き込むことで塵埃飛散防止剤を散布可能になる。
塵埃飛散防止剤を床保護シート２６の上面、及び作業空間隔離シート２７の内面全域に散布することで、床保護シート２６及び作業空間隔離シート２７に付着した塵埃が床保護シート２６及び作業空間隔離シート２７から再度飛散することがなくなる。
【００４０】
次いで、取替え作業空間撤去工程について説明する。
作業者３６は、天井７又は床６ａに固定されている作業空間隔離シート２７及び床保護シート２６の天井７及び床６ａへの固定を解除する。つまり、作業者３６は、作業空間隔離シート２７と床保護シート２６との間を目張りしていたテープをはがし、さらに、作業空間隔離シート２７及び床保護シート２６を床６ａに固定していた止めピン２８を取り去る。次いで、作業者３６は、作業空間隔離シート２７と天井面８との間を目張りしていたテープをはがし、さらに、作業空間隔離シート２７を天井７に固定していた止めピン２８を取り去る。そして、作業者３６は、図９に示されるように、作業空間隔離シート２７及び床保護シート２６を撤去する。
【００４１】
撤去した床保護シート２６及び作業空間隔離シート２７の処分は、アスベスト取り扱うことのできる専門の業者に依託する。同様に、真空掃除機３１の第２のＨＥＰＡフィルタや負圧除塵装置３５の第１のＨＥＰＡフィルタに捕集された塵埃の処分も専門業者に委託する。なお、アスベストが梁や柱に吹き付けられていないような建物では、床保護シート２６及び作業空間隔離シート２７、及び捕集した塵埃の処分は専門業者に依託する必要はない。
【００４２】
次いで、新規ユニット設置工程について図１０を参照しつつ説明する。
新規ユニット設置工程では、作業者３６は、室内ユニット１６Ａと同様の構成を有する新規の室内ユニット１６Ｂの本体部１７を設置スペース９ａに運ぶ。そして、作業者３６は、取付金具２０に吊りボルト１０を挿通させ、吊りボルト１０の先端にナット２１を螺着する。これにより、新規の本体部１７が天井裏空間９に設置される。さらに、作業者３６は、筐体１８と設置口７ａとの間の隙間を利用して、冷媒配管２５やドレン配管、及び各種電気配線と、本体部１７との間を接続する。そして、作業者３６は新規の化粧パネル１９を本体部１７の筐体１８に取り付けて設置口７ａを塞口し、新規の室内ユニット１６Ｂの取付け作業を終了する。
【００４３】
この発明による空気調和機１５の室内ユニットの取替え方法によれば、取替え作業空間隔離工程で、作業空間隔離シート２７を用いて、化粧パネル１９の設置箇所の真下の室３の空間を、高さ方向の全域にわたって囲繞し、室３の他の空間から隔離している。また、表面清掃工程で、化粧パネル１９周辺の塵埃を除去した後、既設ユニット取り外し工程で、負圧除塵装置を稼動して取替え作業空間２４内の気圧を外部の気圧より低く保ちつつ、真空掃除機３１を用いて取り外した本体部１７及び化粧パネル１９に付着している塵埃を除去している。また、設置スペース清掃工程で、新規の本体部１７を設置する天井裏９の設置スペース９ａ内の塵埃を真空掃除機３１により除去している。そして、設置スペース隔離工程で、設置スペース隔離シート３７を用いて設置スペース９ａを天井裏空間９の他の領域から隔離している。さらに、塵埃飛散防止工程で、床保護シート２６及び作業空間隔離シート２７に塵埃付着防止材を散布し、床保護シート２６及び作業空間隔離シート２７に付着した塵埃が再度飛散するのを防いだ後、取替え作業空間撤去工程で、床保護シート２６及び作業空間隔離シート２７を撤去し、新規の室内ユニット１６Ｂを設置スペース９ａに設置している。
【００４４】
このため、空気調和機１５の室内ユニット１６Ａの化粧パネル１９を取り外し、本体部１７を設置口７ａから室３内に取り出した場合でも、天井裏空間９にたまった塵埃は取替え作業空間２４内にとどまり、取替え作業空間２４の外部の室３内に飛散することが防止される。また、床保護シート２６や作業空間隔離シート２７を撤去するとときに、塵埃が床保護シート２６や作業空間隔離シート２７から剥離して飛散することがなくなる。さらに、新規の室内ユニット１６Ｂを設置するときに、天井裏空間９から塵埃が室３内に飛散することがなくなる。従って、空気調和機１５の室内ユニットの取替え作業中に、室内ユニット１６Ａの配設箇所の直下のエリアを除く室３内の床６ａの表面をシート等で覆う必要がなくなる。即ち、日常の作業を行う日常作業エリアを室３に確保できるので、室内ユニットの取替え作業中であっても日常の作業を室３内で行うことが可能となる。
【００４５】
また、万一、アスベストが室内ユニット１６Ａの設置付近の天井裏空間９にある場合でも、アスベストを室３内に飛散させることなく、既設の室内ユニット１６Ａを新規の室内ユニット１６Ｂに取り替えることができる。
【００４６】
なお、アスベストの本格的な除去や、封じ込め作業は、資格を持った専門業者でなければ行えないことが法律により定められている。室内ユニット１６Ａの交換作業の前に、天井裏空間９の全域のアスベスト壁に対し、アスベストを除去したり、封じ込めたりしたりしようとする場合、専門業者に委託しなければならず、非常に高額なコストが必要となる。
【００４７】
一方、この発明は、特に、アスベストの本格的な除去や封じ込めを行わずに、室内ユニット１６Ａを新規のものに交換することが可能である。この場合、万一、アスベストが室内ユニット１６Ａの近傍に紛れ込んでいた場合を考慮し、床保護シート２６、作業空間隔離シート２７、及び真空掃除機３１や負圧除塵装置３５が捕集した塵埃の処理を専門業者に委託するだけでよい。従って、この発明によれば、アスベストが室内ユニット１６Ａ設置付近の天井裏空間９に紛れ込んでいる可能性のある建物に対しても、安価に室内ユニットの交換作業を行うことができる。
【００４８】
なお、この発明では、表面清掃工程を設けるものとして説明したが、表面清掃工程は必ずしも設ける必要はない。表面清掃工程を行わず、既設ユニット取り外し工程での室内ユニット１６Ａの取りはずしによって塵埃が多量に落下した場合には、塵埃を床保護シート２６から真空掃除機３１を用いて除去すればよい。
【００４９】
また、設置スペース隔離工程を設けるものとして説明したが、アスベストが梁や柱に吹き付けられていない建物であり、少量の塵埃の飛散が許容される室３の環境であれば、必ずしも設置スペース隔離工程を設ける必要はない。また、塵埃飛散防止工程は、同様に少量の塵埃の飛散が許容される室３の環境であれば、真空掃除機３１で床保護シート２６や作業空間隔離シート２７の塵埃をふき取る程度でもよい。
【００５０】
さらに、アスベストが用いられていない建物であれば、取替え作業空間撤去工程において、床保護シート２６や作業空間隔離シート２７を取替え作業空間２４側の面を内側に折りたたんで、室３内に多量の塵埃が飛び散らないようにすれば塵埃飛散防止工程は必ずしも設ける必要はない。また、既設ユニット取り外し工程で取り外して床６ａ上に載置した室内ユニット１６Ａを取り替え作業撤去工程までそのまま放置してもよい。この場合、取替え作業空間撤去工程において、床保護シート２６や作業空間隔離シート２７を、それぞれの取替え作業空間２４側の面側で室内ユニット１６Ａを内包するなどすれば、塵埃を室３内に飛散させることなく、室内ユニット１６Ａを撤去できる。
【００５１】
また、取替え作業空間隔離工程は、床保護シート２６を床６ａ上に布設するものとして説明したが、床保護シート２６は必ずしも布設する必要はない。例えば、設置スペース隔離工程において、新規の室内ユニット１６Ｂが配設される天井裏空間９周辺の塵埃を取り除いた後、作業空間隔離シート２７に囲繞された床６ａに落下した塵埃を綺麗に清掃できるものであれば、特に床保護シート２６を布設する必要はない。
【００５２】
また、取替え作業空間撤去工程は、塵埃飛散防止工程と新規ユニット設置工程との間に設けるものとして説明したが、塵埃飛散防止工程後であれば、床保護シート２６及び作業空間隔離シート２７から塵埃が再飛散することが防止されるので、取替え作業空間撤去工程は新規ユニット設置工程の後に設けてもよい。
【図面の簡単な説明】
【００５３】
【図１】この発明の一実施の形態に係る空気調和機の室内ユニットの取替え方法により取替えられる既設の室内ユニットが設置された建物の模式図である。
【図２】図１のＡ部拡大図である。
【図３】この発明の一実施の形態に係る空気調和機の室内ユニットの取替え方法の取替え作業空間隔離工程を説明する図である。
【図４】この発明の一実施の形態に係る空気調和機の室内ユニットの取替え方法の表面清掃工程を説明する図である。
【図５】この発明の一実施の形態に係る空気調和機の室内ユニットの取替え方法のユニット取り外し工程を説明する図である。
【図６】この発明の一実施の形態に係る空気調和機の室内ユニットの取替え方法の設置スペース清掃工程を説明する図である。
【図７】この発明の一実施の形態に係る空気調和機の室内ユニットの取替え方法の設置スペース隔離工程を説明する図である。
【図８】この発明の一実施の形態に係る空気調和機の室内ユニットの取替え方法の塵埃飛散防止工程を説明する図である。
【図９】この発明の一実施の形態に係る空気調和機の室内ユニットの取替え方法の取替え作業空間撤去工程を説明する図である。
【図１０】この発明の一実施の形態に係る空気調和機の室内ユニットの取替え方法の新規ユニット設置工程を説明する図である。
【符号の説明】
【００５４】
３  室、６ａ，６ｂ  床、７  天井、７ａ  設置口、９  天井裏、９ａ  設置スペース、１５  空気調和機、１６Ａ  既設の室内ユニット、１６Ｂ  新規の室内ユニット、１７  本体部、１９  化粧パネル、２６  床保護シート、２７  作業空間隔離シート、３１  真空掃除機、３５  負圧除塵装置。
【図１】
0005026311.tif 000002
【図２】
0005026311.tif 000003
【図３】
0005026311.tif 000004
【図４】
0005026311.tif 000005
【図５】
0005026311.tif 000006
【図６】
0005026311.tif 000007
【図７】
0005026311.tif 000008
【図８】
0005026311.tif 000009
【図９】
0005026311.tif 000010
【図１０】
0005026311.tif 000011